(57)【要約】【課題】  構造が簡便で、画像の変化が強く強調され、人の目を強く惹き付けることができて、効果的かつ効率的に広告宣伝できる画像表示体を提供する。【解決手段】  片面にレンチキュラーレンズが施された一対の透明体２１，２１で形成され、前記透明体２１，２１間に画像シート４を着脱自在に保持することのできる画像保持体２と、前記画像保持体２を保持するとともに、前記レンチキュラーレンズに対応する複数の画像が両面に施された画像シート４を上下方向に揺動させる揺動機構を内蔵した画像駆動体３と、前記画像駆動体３を着脱可能に保持するとともに、前記揺動機構を駆動させるためのソーラーバッテリー４２を搭載した取付基台４とで画像表示体１を構成する。【選択図】      図１
2007155959.tif 000002
【特許請求の範囲】
【請求項１】
レンチキュラーレンズが施された一対の透明体で形成され、前記透明体間に画像シートを着脱自在に保持することのできる画像保持体と、
前記画像保持体を保持するとともに、前記レンチキュラーレンズに対応する複数の画像が両面に施された画像シートを上下方向に揺動させる揺動機構を内蔵した画像駆動体と、
前記画像駆動体を着脱可能に保持するとともに、前記揺動機構を駆動させるためのバッテリーを搭載した取付基台とから構成されていること
を特徴とする画像表示体。
【請求項２】
前記画像保持体は、
片面にレンチキュラーレンズが施された一対の矩形状の透明体を相対させて左右の側縁部を一体的に接合するとともに、相対する透明体の内面側に形成された浅い凹状部間に形成される空間部を画像シートの装着部とし、上部には画像シートの挿入口を、下部中央部には画像シートの下縁中央部に突出形成された舌片を、前記画像駆動体の内部空間に突出させるための挿通孔が形成されていること
を特徴とする請求項１に記載の画像表示体。
【請求項３】
前記画像駆動体は、
前記画像保持体を垂直状態で保持可能な係合溝を上面部に有し、内部に空間を有する基体と、この基体の一端部に直交状態で一体的に付設され、かつ前記空間と連痛する空間を有する係合部とから構成され、前記画像保持体に装着された画像シートの舌片の下部空間に、前記舌片を上下動させるための揺動機構が配置されていること
を特徴とする請求項１に記載の画像表示体。
【請求項４】
前記揺動機構は、
前記画像シートの舌片の下方に配置され、前記舌片と常時接触可能な偏心カムと、この偏心カムの駆動軸の一端に固着されるギヤと、このギヤと噛み合うギヤを駆動軸に設けたソーラーモータとか構成されていること
を特徴とする請求項３に記載の画像表示体。
【請求項５】
前記画像シートは、
外部から複数の画像を視認させる範囲内を、上下に連続的に揺動するものであること
を特徴とする請求項１〜４のいずれかに記載の画像表示体。
【請求項６】
前記バッテリーは、
ソーラーバッテリーであって、モータはソーラーモータであること
を特徴とする請求項１〜５のいずれかに記載の画像表示体。
【発明の詳細な説明】
【技術分野】
【０００１】
この発明は、変化する画面を有する画像表示体に関するもので、文具、玩具などにも適用されるが、特に広告宣伝用として極めて有効なもので、広告宣伝技術あるいはディスプレイ技術に属するものである。
【背景技術】
【０００２】
広告宣伝は、テレビや新聞をはじめ、種々の媒体を用いて行われているが、ショーウィンドウなどの店先や、街角等のような人目につく場所にも広告媒体を設置することも、広告内容を人々に知らしめるために広く用いられている。また、そのような公共的な箇所ばかりでなく、店内、例えばショーケースの上部や内部、企業の受付や応接室などにも広告媒体が置かれ、さり気なくかつ明確に広告宣伝することが行われている。
このような広告は、できる限り人目を引くものであることが望まれて折り、そのためにこれまでも数多くの提案が種々なされてきている。
【０００３】
その代表的な例を示すと、例えば、実用新案登録第３０９６５８９号公報（特許文献１）には、広告媒体は静止体のものより運動体の方が人目を引くとして、回動する広告媒体支持具が提案されている。この指示具は、広告が示される広告媒体が取り付けられる支持棒と、それを固定する固定手段と、固定手段に取り付けられた回動手段を有し、その回動手段により、支持棒を正逆両方向に交互に回動させることにより、広告が回動するというものである。
【０００４】
一方、実用新案登録第３１０３９７２号公報（特許文献２）には、光学技術、すなわち、レンチキュラーレンズを用いることによって、広告媒体そのものは動かないが、歩きながら広告媒体を見ることによって、広告媒体に描かれた画像が変化することによって、見る者の目を引きつけるという広告表示体に関する提案がなされている。
【０００５】
さらには、レンチキュラーレンズを用いるが、特許文献２の提案とは異なり、積極的に広告媒体を揺動させ、広告媒体に描かれた画像を変化させ、人目を引こうという提案が、特開２００３−１３１５７２号公報（特許文献３）や実開平５−９６８８１号公報（特許文献４）で提案されている。
【特許文献１】実用新案登録第３０９６５８９号公報（実用新案登録請求の範囲、図１、図２）
【特許文献２】実用新案登録第３１０３９７２号公報（実用新案登録請求の範囲、図１）
【特許文献３】特開２００３−１３１５７２号公報（特許請求の範囲、図２、段落番号０００９）
【特許文献４】実開平５−９６８８１号公報（実用新案登録請求の範囲、考案の効果）
【発明の開示】
【発明が解決しようとする課題】
【０００６】
前記の特許文献３の画像可変カード駆動モジュールは、広告媒体としても有効なものとされ、ゼンマイを動力源とする駆動部と、この駆動部とギヤ列を介して連結されて揺動する挟持稈とが一体的に組み合わされて構成されたもので、挟持稈に支持される画像可変カードへの視線が、挟持稈の揺動に伴う視線角度の変化によって、前記画像可変カード表面に印刷された画像が変化するというもので、広告媒体としての用途を限りなく広くすることができるものとされている。
【０００７】
また、特許文献４の表示装置は、レンチキュラーレンズを貼着して画像が変化するように構成した表示体が、低速度で回転駆動する基台上の回転表示部に取付けられているもので、レンチキュラーレンズを用いた、異なる画像と回転装置とを巧みに組合せたことによって、一枚の画像が視者の同一視線位置において自動的に別の画像に変化し、視者に対して興味深い印象を与えることができる。その上、限られた表示装置のスペース内に多くの画像を収納表示し得るものであって、極めて高い表示効果を得ることができる上、表示体は回転表示部より簡単に取外すことができ、異なる表示体と容易に交換することができ、表示効果をさらに高めることができ、構造簡単にして堅牢で耐久性に優れている等の種々の効果を有するものとされている。
【０００８】
この発明はかかる現状に鑑み、構造の簡便性を失わずに画像の変化を強く強調し、より強く人の目を惹き付けることができて、効果的かつ効率的に広告宣伝でき、さらには室内装飾や、文具、玩具などに用いることができ、コンパクトで狭い箇所にも設置できる画像表示体を提供せんとするものである。
【課題を解決するための手段】
【０００９】
前記目的を達成するため、この発明の請求項１に記載の発明は、
レンチキュラーレンズが施された一対の透明体で形成され、前記透明体間に画像シートを着脱自在に保持することのできる画像保持体と、
前記画像保持体を保持するとともに、前記レンチキュラーレンズに対応する複数の画像が両面に施された画像シートを上下方向に揺動させる揺動機構を内蔵した画像駆動体と、
前記画像駆動体を着脱可能に保持するとともに、前記揺動機構を駆動させるためのバッテリーを搭載した取付基台とから構成されていること
を特徴とする画像表示体である。
【００１０】
また、この発明の請求項２に記載の発明は、
請求項１に記載の画像表示体において、
前記画像保持体は、
片面にレンチキュラーレンズが施された一対の矩形状の透明体を相対させて左右の側縁部を一体的に接合するとともに、相対する透明体の内面側に形成された浅い凹状部間に形成される空間部を画像シートの装着部とし、上部には画像シートの挿入口を、下部中央部には画像シートの下縁中央部に突出形成された舌片を、前記画像駆動体の内部空間に突出させるための挿通孔が形成されていること
を特徴とするものである。
【００１１】
また、この発明の請求項３に記載の発明は、
請求項１に記載の画像表示体において、
前記画像駆動体は、
前記画像保持体を垂直状態で保持可能な係合溝を上面部に有し、内部に空間を有する基体と、この基体の一端部に直交状態で一体的に付設され、かつ前記空間と連痛する空間を有する係合部とから構成され、前記画像保持体に装着された画像シートの舌片の下部空間に、前記舌片を上下動させるための揺動機構が配置されていること
を特徴とするものである。
【００１２】
また、この発明の請求項４に記載の発明は、
請求項３に記載の画像表示体において、
前記揺動機構は、
前記画像シートの舌片の下方に配置され、前記舌片と常時接触可能な偏心カムと、この偏心カムの駆動軸の一端に固着されるギヤと、このギヤと噛み合うギヤを駆動軸に設けたモータとか構成されていること
を特徴とするものである。
【００１３】
また、この発明の請求項５に記載の発明は、
請求項１〜４のいずれかに記載の画像表示体において、
前記画像シートは、
外部から複数の画像を視認させる範囲内を、上下に連続的に揺動するものであること
を特徴とするものである。
【００１４】
また、この発明の請求項６に記載の発明は、
請求項１〜５のいずれかに記載の画像表示体において、
前記バッテリーは、
ソーラーバッテリーであって、モータはソーラーモータであること
を特徴とするものである。
【発明の効果】
【００１５】
この発明の画像表示体は、一対の透明体と画像シートを主たる構成体とするもので、いずれも薄くすることが可能なものであるため、全体を薄い板状体とすることができるためコンパクトで、狭い箇所にも設置することができ、宣伝広告できるものである。
【００１６】
また、この発明の画像表示体における画像シートは、両面に画像が施されたもので、画像表示体の前後から、画像の変化を視認できるものである上、画像表示体自体、本質的に薄いため、正確な画像の変化の視認は無理であるとしても、画像の存在自体は、斜め前方および後方から確認でき、広い範囲で画像の確認ができ、宣伝広告の効果が上がるものである。
【００１７】
さらに、この発明の画像表示体においては、画像シートは、両面に画像が施されていても、視認できるのは一面に施された画像のみであるから、視者の注意力を散漫にさせず、画像の変化を観察させるものであり、また、裏面に対する興味も引き起こすこともあり、効率的に宣伝広告できるものである。
【発明を実施するための最良の形態】
【００１８】
以下、この発明にかかる画像表示体の一実施例を、添付の図面に基づいて具体的に説明するが、この発明は開示した実施例にのみ限定されるものではなく、その要旨を変更しない範囲内において、自由に変更することが可能なものである。
【００１９】
図１は、この発明にかかる画像表示体の一実施例の斜視図、図２は、画像シートを上下に揺動させるための機構を示す概略説明図、図３は、画像の変化を示す説明図である。
【００２０】
図１に示される画像表示体１は、パチンコ店において、２台のパチンコ台の中間に設置するように、設計されたものであって、画像表示体１は、板状の画像保持体２と、この画像保持体２を垂直状態で保持し、かつ前記画像保持体２内に装着された画像シートを揺動させるための揺動機構を内蔵した画像駆動体３と、この画像駆動体３の基端部を係合保持し、かつ前記揺動機構を駆動させるための電源部を有する取付基台４とから構成されたものである。
【００２１】
前記画像保持体２は、片面にレンチキュラーレンズが施された一対の矩形状の透明体２１，２１を相対させて左右の側縁部を、接着剤などを使用して一体的に接合したもので、相対する透明体２１，２１の内面側に浅い凹状部をそれぞれ形成し、この凹状部間に形成される空間部を画像シート４の装着部としたもので、画像シート４は、上方の挿入口２２から挿入するものである。
【００２２】
なお、この画像保持体２の下縁の中央部には、図２で明らかなように、前記画像シート４の下縁中央部に突設した舌片４ａを外部に突出させるための挿通孔２３が形成されている。
【００２３】
また、前記画像駆動体３は、内部に空間Ｓを有する基体３１の一端部に、内部に空間を有する係合部３２を直交させて一体的に形成したもので、図２で明らかなように、基体３１の上面部には、前記画像保持体２の下部を受け入れるための凹状の係合溝部３３を有し、前記前記画像シート４の舌片４ａと相対する係合部３３に、舌片４ａを前記空間Ｓに突出させるための挿通孔３４を形成させるとともに、この挿通孔３４の下方の空間Ｓに、画像シート４を揺動させるための揺動機構を配置したものである。
【００２４】
前記揺動機構は、具体的には、前記舌片４ａと相対する部位に、舌片４ａと接触可能に配置された偏心カム３５と、この偏心カム３５の駆動軸３６に固定されたギヤＧと、このギヤＧと噛み合うギヤＧを有するソーラーモータ３７とからなるものである。
【００２５】
また、前記取付基台４は、図１で明らかなように、下部に前記画像駆動体３の係合部３３を係合保持するための取付部４１を有するとともに、その上部にソーラーバッテリー４２（表面には受光部が顕出している）組み込んだもので、ソーラーバッテリー４２と前記ソーラーモータ３７とは、電源コードＣで繋がれているものである。
【００２６】
かかる構成からなる画像表示体１は、ソーラーバッテリー４２の受光部に太陽や他の光源からの光を受光すると、ソーラーバッテリー４２が発電し、その電力が電源コードＣを介してソーラーモータ３７に送られ、ソーラーモータ３７が駆動すると、ソーラーモータ３７の回転がギヤＧ群を介して偏心カム３５の駆動軸３６に伝えられ、駆動軸３６の回転によって偏心カム３５も回転し、偏心カム３５に接している画像シート４の舌片４ａを上下動させ、結果として、画像シート４を上下に揺動させるものである。
【００２７】
この揺動幅は、画像が変化する最小単位の幅でよく、それより大きいく揺動させても、同一変化が連続して起るだけであって、変化自体が変わるわけではなく、揺動を大きくするためには駆動部が大きくなるので避けるのが望ましい。また、最小単位の幅で揺動させることによって、ソーラーパワーのような弱電流でも駆動させることができる。
【００２８】
この画像シート４には、例えば、図３ａ，図３ｂに示される画像（図においてはキャッチフレーズ）が加工処理されているので、画像シート４が上下動するに従い、図３ａ，図３ｂに示される画像が交互に現れる。その際、透明体２１，２１に施されたレンチキュラーレンズ、すなわち、断面蒲鉾型の多数のシリンドリカルレンズにより板状に形成されたレンチキュラーレンズの、個々のシリンドリカルレンズの幅内に、図３ａと図３ｂの画像を短冊状（ストライプ状）に切断し、レンチキュラーレンズを見る角度によって、図３ａまたは図３ｂのいずれかの画像が視認できるように構成されているので、画像シート４の上下動により、あたかも図３ａと図３ｂが変化するように見えるものである。
なお、この画像は、画像シート４の両面に形成されている。
【００２９】
画像シート４は、前記したように、片面にレンチキュラーレンズが施された２枚の透明体２１，２１が並立して立設して形成された画像保持体２の上部に設けられた、画像シートの挿入口２２から嵌挿可能であるとともに、その取出も容易であるため、定期的に、あるいは任意に取替え可能で、広告効果を評価しながら、何時でも取り替えられるものである。
【００３０】
図に示された画像シート４は、２種のキャッチフレーズが施されたもので、断続的な変化であるが、広告宣伝をより効果的にするには、画像が連続的に変化するように構成するのが望ましく、そのために絵画的にすること、画像の数を増やすことも可能であり、立体化も好ましい方法である。
【００３１】
図１に示される画像表示体１では、電源として太陽電池を利用しているので、明かりのある場所であれば何処でも利用可能であって、電池や室内電源を使用する必要がなく、環境に優しく、室内の明かりで作動し、エネルギーの再利用になり、地球温暖化抑制にも貢献し好ましいものであるが、もちろん、ＡＣ電源や乾電池等を使用して作動させることも可能である。
【００３２】
図１に示される画像表示体１では、画像シート４は、ソーラーモータ３７の回転によって連続的に上下動しているが、電流の制御や電磁石の利用などにより、断続的に画像シート４を上下動させることも可能である。
【００３３】
また、画像表示体１は、画像保持体２を起立状態に維持するとともに、画像保持体２に嵌挿された画像シート４を上下に揺動させるための揺動機構を内在する画像駆動体３と、ソーラーバッテリー４２を有する取付基台４とか構成されているので、構成部材を個々に分離することが可能なものである。したがって、形状の異なる画像保持体への取替え、すなわち、異なるレンチキュラーレンズが施された画像保持体への取替えや、異なる電源の採用などが極めて簡単に行えるものである。
【００３４】
さらに、図１に示される画像表示体１は、パチンコ店の狭い空間にも収まるように設計されているが、この発明の画像表示体は、そのコンパクト性により、パチンコ店に限らず、コンビニエンスストア、ガソリンスタンド、ファミリーレストラン、ドラッグストアなど、各種の店舗において、場所を選ばず設置可能である。
【００３５】
この発明の画像表示体は、コンパクトでありながら、人目を引く力が強く、広告宣伝が効果的にかつ効率的に行えるものであるから、各種の店舗を含め、きめ細かな広告宣伝を必要とする産業で、幅広く利用される可能性もあって、また、文具や玩具としても利用可能性を有し、それらの産業でも有効に利用され得るものである。
【図面の簡単な説明】
【００３６】
【図１】この発明にかかる画像表示体の一実施例の斜視図である。
【図２】画像シートを上下に揺動させるための機構を示す概略説明図である。
【図３】画像の変化を示す説明図である。
【符号の説明】
【００３７】
１    画像表示体
２    画像保持体
２１    透明体
２２    挿入口
２３    挿通孔
３    画像駆動体
３１    基体
３２    係合部
３３    係合溝
３４    挿通孔
３５    偏心カム
３６    駆動軸
３７    ソーラーモータ
４    取付基台
４１    取付部
４２    ソーラーバッテリー
Ｓ    空間
Ｇ    ギヤ
【図１】
2007155959.tif 000003
【図２】
2007155959.tif 000004
【図３】
2007155959.tif 000005